(57)【要約】【課題】乾燥時に発生する衣類のリントで乾燥性能が劣化せず、そのリントを捕獲するフィルターのメンテも容易な洗濯乾燥機を提供する。【解決手段】槽（図示せず）内に回転自在に配設され衣類を収容するドラム（図示せず）と、衣類乾燥用の空気を加熱するヒータ（図示せず）と、ヒータに風を送るファン（図示せず）と、ドラムとヒータと連通すると共に温風が通る通風路９と、通風路９外に設けたリント捕獲スペース２２と、通風路９とリント捕獲スペース２２にまたがって回転すると共に衣類から生じるリント２１を捕獲するフィルター１１と、リント捕獲スペース２２側に設けられフィルター１１に捕獲されたリント２１を離脱させるレバー２０とを備えたもので、リント２１がリント捕獲スペース２２側でレバー２０により自動的に離脱されるので、通風路９内でのフィルター１１の目詰まりが無く、乾燥性能が悪化することが無い。【選択図】図２
2006102346.tif 000002
【特許請求の範囲】
【請求項１】
槽内に回転自在に配設され衣類を収容するドラムと、前記衣類を乾燥させる温風発生手段と、前記ドラムと前記温風発生手段と連通するとともに温風が通る通風路と、前記通風路中に設けられ前記衣類から生じるリントを捕獲するフィルターと、前記フィルターに捕獲された前記リントを離脱させる離脱手段と、離脱された前記リントを前記通風路外に排出する排出手段とを備えた洗濯乾燥機。
【請求項２】
フィルターを円筒状に形成し、離脱手段および排出手段を、螺旋状に形成されその外周端面が前記フィルターの内面に密接するリント排出体で形成し、前記リント排出体を回転させて前記フィルターの内面に捕獲されたリントを離脱させると共に通風路外に排出するようにした請求項１に記載の洗濯乾燥機。
【請求項３】
円筒状のフィルターの上流側に、上流側が径大の傾斜面を設け、前記傾斜面で捕獲されたリントを離脱させる第２の離脱手段を設け、前記第２の離脱手段を、リント排出体の回転軸で回転させるようにした請求項２に記載の洗濯乾燥機。
【請求項４】
通風路外へ排出されたリントを保留する保留手段を設け、前記保留手段から前記リントを取り出すための開口部を本体の外装面に設けた請求項１〜３のいずれか１項に記載の洗濯乾燥機。
【請求項５】
通風路内のフィルターの位置を、ドラムに最も近い上流側とした請求項１〜４のいずれか１項に記載の洗濯乾燥機。
【発明の詳細な説明】
【技術分野】
【０００１】
本発明は、衣類を洗濯、乾燥する洗濯乾燥機に関するもので、特に、乾燥時に衣類からでるリントを捕獲するフィルターの掃除に関するものである。
【背景技術】
【０００２】
従来の乾燥機能を有する洗濯乾燥機について、図５を用いて説明する。
【０００３】
図５において、乾燥運転時にドラム１０５から排出された高温多湿の排気風を除湿用熱交換器１１７に導き、そこで除湿された冷気を加熱装置１２０にて加熱し、再びドラム１０５内に供給して被洗濯物を乾燥する。前記熱交換器１１７は、排気中に冷却水を注入して排気中の水分を凝縮する構成で、この熱交換器１１７と前記加熱装置１２０との間にリントフィルター１１９が配設され、排気中のリントを熱交換器１１７で注水によって流出除去すると共に、その後段に位置するリントフィルター１１９によっても排気中のリントが捕獲されるようになっている（例えば、特許文献１参照）。
【特許文献１】特開２００２−２００３９５号公報
【発明の開示】
【発明が解決しようとする課題】
【０００４】
しかしながら、前記従来の洗濯乾燥機の構成では、乾燥運転で発生する乾燥衣類のリントの除去を熱交換器１１７の注水で流出除去、あるいはリントフィルター１１９で排気中のものを捕獲する構成の為、流水除去においては排水通路のリントによる汚れ、目詰まりの原因になり、リントフィルター１１９による排気中のリントの捕獲は、掃除をしなければリントフィルター１１９の目詰まりが進行し、加熱装置１２０まわりの故障の原因、あるいは乾燥性能の低下の原因となる。特にリントフィルター１１９は乾燥循環風経路に直列に入っている為、リントフィルター１１９の目詰まりは、乾燥循環風量に直接影響を与えると共に、乾燥熱量の低下となり、乾燥衣類が乾かないあるいは、乾燥時間が長くなるなど乾燥性能が著しく低下するという課題を有していた。
【０００５】
本発明は、前記従来の課題を解決するもので、リント捕獲用のフィルターは、メンテナンスが容易で、目詰まりも無く乾燥性能に影響を与えず、また、温風発生手段や排水路がリントで汚染されることの無い洗濯乾燥機を提供することを目的とする。
【課題を解決するための手段】
【０００６】
前記従来の課題を解決するために、本発明の洗濯乾燥機は、槽内に回転自在に配設され衣類を収容するドラムと、前記衣類を乾燥させる温風発生手段と、前記ドラムと前記温風発生手段と連通するとともに温風が通る通風路と、前記通風路中に設けられ前記衣類から生じるリントを捕獲するフィルターと、前記フィルターに捕獲された前記リントを離脱させる離脱手段と、離脱された前記リントを前記通風路外に排出する排出手段とを備えたもので、フィルターが離脱手段により自動掃除されると共に、リントが通風路外に排出されるので、通風路内でフィルターが目詰まりせず、乾燥性能が悪化することが無い。
【発明の効果】
【０００７】
本発明の洗濯乾燥機は、フィルターの自動掃除で目詰まりを防ぎ、乾燥性能が目詰まりで悪化することが無くなる。
【発明を実施するための最良の形態】
【０００８】
第１の発明は、槽内に回転自在に配設され衣類を収容するドラムと、前記衣類を乾燥させる温風発生手段と、前記ドラムと前記温風発生手段と連通するとともに温風が通る通風路と、前記通風路中に設けられ前記衣類から生じるリントを捕獲するフィルターと、前記フィルターに捕獲された前記リントを離脱させる離脱手段と、離脱された前記リントを前記通風路外に排出する排出手段とを備えたもので、フィルターが離脱手段により自動掃除されると共に、リントが通風路外に排出されるので、通風路内でフィルターが目詰まりせず、乾燥性能が悪化することが無い。
【０００９】
第２の発明は、特に、第１の発明のフィルターを円筒状に形成し、離脱手段および排出手段を、螺旋状に形成されその外周端面が前記フィルターの内面に密接するリント排出体で形成し、前記リント排出体を回転させて前記フィルターの内面に捕獲されたリントを離脱させると共に通風路外に排出するようにしたもので、リントをフィルターからの離脱させる離脱手段と、離脱されたリントを通風路外に排出する排出手段とが１つの部品ですむので、機構が簡素化され、コンパクト化も図れる。
【００１０】
第３の発明は、特に、第２の発明の円筒状のフィルターの上流側に、上流側が径大の傾斜面を設け、前記傾斜面で捕獲されたリントを離脱させる第２の離脱手段を設け、前記第２の離脱手段を、リント排出体の回転軸で回転させるようにしたもので、フィルター内の風の流れを良くする事ができる。
【００１１】
第４の発明は、特に、第１〜３のいずれか１つの発明の通風路外へ排出されたリントを保留する保留手段を設け、前記保留手段から前記リントを取り出すための開口部を本体の外装面に設けたもので、フィルターから離脱し溜まったリントの処理を、フィルターの目詰まりを気にすることなく随時簡単に行える。
【００１２】
第５の発明は、特に、第１〜４のいずれか１つの発明の通風路内のフィルターの位置を、ドラムに最も近い上流側としたもので、フィルターでリントを捕獲し切るため、下流側でのリントの付着、流出が無くなるのでそれに伴う機器の性能劣化、排水の汚染を防ぐ事ができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における洗濯乾燥機の要部断面図である。
【００１５】
図１において、槽１の中に、衣類６を収納するドラム２が回転自在に取り付けられ、ドラム２はその駆動用のモータ３の回転軸１７に取り付けられ、モータ３は槽１に固定されている。槽１は、洗濯乾燥機の本体４の底面にダンパー５で受け止められている。ドラム２の中の衣類６は扉７を開けて出し入れする。槽１の扉７側に開口部８がありそれに連通する乾燥用の通風路９が槽１の後部の開口１０へとつながっている。
【００１６】
前記通風路９の中には、開口部８側より、衣類６から発生するリントを除去するフィルター１１と、乾燥風除湿用の熱交換器１２と、熱交換器１２に冷却水を供給する冷却水供給部１３と、乾燥風を循環させるためのファン１４と乾燥風を加熱するヒータ１６からなる温風発生手段と続き開口１０へとつながっている。１５は、ファン１４を回転駆動するモータである。またドラム２の回転軸１７側の面に通気の開口１８がある。前記フィルター１１は回転するものであり、その部分（Ａ部）を拡大したのが図２である。
【００１７】
図２（ａ）は、図１のＡ部の拡大図、図２（ｂ）は、図２（ａ）のＢ−Ｂ断面図である。
【００１８】
図２において、槽１からの循環風流入の開口部８に、モータ１９で回転駆動される円板状のフィルター１１が設けられている。通風路９の上部には、フィルター１１から離脱されたリントを保留する保留手段としてリント捕獲スペース２２が設けられている。図２に示すように、フィルター１１の下半分は、通風路９に臨み、上半分は、リント捕獲スペース２２内に臨んでいる。
【００１９】
２０は、回転するフィルター１１の上流側の面に密接すると共に断面形状が略楔形のレバーで、フィルター１１の円の半径方向に取り付けられている。２３は、リント捕獲スペース２２の上部開口を覆うフタで、洗濯乾燥機の本体４の外装面４ａに取り付けられている。
【００２０】
以上のように構成された洗濯乾燥機について、以下その動作、作用を説明する。
【００２１】
洗濯行程については、従来の洗濯乾燥機のそれと同じなので説明を省略する。
【００２２】
乾燥行程を開始すると、ドラム２がモータ３にて回転し衣類６が攪拌され、乾燥用のヒータ１６に通電され同時に乾燥循環風用のファン１４が回転する。乾燥循環風はドラム２から開口部８を通り、通風路９の中のフィルター１１、熱交換器１２、ファン１４を経て、ヒータ１６で加熱され、温風となって槽１の後部の開口１０へと導かれ、ドラム２の後面の開口１８からドラム２に入って、衣類６を通過し、再び開口部８に至り循環する。
【００２３】
衣類６は、前記循環風で温度上昇し、そこで発生した水蒸気が循環風に混じり、その循環風が、冷却水供給部１３からの水滴で冷却された熱交換器１２を通過する際に、循環風中の水分は熱交換器１２で露滴し除湿され、乾燥した循環風がヒータ１６で加熱され、それがドラム２に供給される事で、衣類６は乾燥されていく。
【００２４】
乾燥に伴って、乾燥循環風の中に衣類６からのリント２１の発生が増えるが、そのリント２１は、フィルター１１の通風路９内に臨んだ下半分（円形の約半分）の部分で捕獲されるが、フィルター１１はモータ１９で回転しているので、通風路９で付着したリント２１は、フィルター１１の回転と共にリント捕獲スペース２２へ移動していく。
【００２５】
リント捕獲スペース２２側のフィルター１１の表面には、リント２１を離脱するレバー２０が密接しているので、通風路９側から移動して来たリント２１はレバー２０で離脱され、回転してそこを過ぎて再び通風路９に入る段階で、フィルター１１はリント２１が除去された状態となってる。以上のように、レバー２０と回転するフィルター１１とで、リント２１を通風路９外に位置するリント捕獲スペース２２に排出する排出手段も形成している。
【００２６】
そして、リント捕獲スペース２２に、リント２１が次第に蓄積されていく。少なくともリント捕獲スペース２２にリントが一杯になるまでは、リントの廃棄など、リント捕獲スペース２２のメンテは不要である。そして、リント捕獲スペース２２がリント２１で一杯になったら、本体４の外装面４ａに設けたフタ２３を開けて、蓄積したリント２１を容易に取り出すことができる。
【００２７】
以上のように、本実施の形態によれば、フィルター１１に付着するリント２１が乾燥用の通風路９内で蓄積されないので、フィルター１１の目詰まりで生じる乾燥性能の低下、ヒータ１６やその周囲での不要な温度上昇等のトラブルを防止し、頻繁なフィルター１１の掃除も不要となり、非常に使用勝手の良い洗濯乾燥機を提供する事ができるものである。
【００２８】
（実施の形態２）
図３は、本発明の第２の実施の形態における洗濯乾燥機の要部断面図である。なお、上記第１の実施の形態と同一部分については、同一符号を付してその説明を省略する。
【００２９】
図３に示すように、本実施の形態は、開口部８を経てドラム２から流入する乾燥循環風に含まれるリント２９を捕獲するフィルター２６を円筒状に形成し、その中にらせん状で外周端面が前記フィルター２６の内面に密接するリント排出体２５と、リント排出体２５を回転駆動するモータ３０を設けたものである。円筒状のフィルター２６の奥には、リント２９を保留する保留手段としてのリント捕獲スペース２７があり、捕獲したリント２９を取り出す為に、本体４の外装面４ａにフタ２８が設けられている。２４は、通風路９に連通する開口部で、乾燥用の循環風が流れるものである。
【００３０】
以上のように構成された洗濯乾燥機について、以下その動作、作用を説明する。
【００３１】
円筒状のフィルター２６の内面に乾燥用循環風が通過しリント２９が付着すると、リント排出体２５は、フィルター２６の内面に密接するらせん形状の為、それが回転する事により前記リント２９はフィルター２６内面から削り取られるように離脱され、円筒形状のフィルター２６の奥へ移動する。順次リント排出体２５で押し出されたリント２９はリント捕獲スペース２７に落下し貯まっていく。貯まったリント２９は、フタ２８を開けて、容易に取り出すことができる。
【００３２】
以上のように、本実施の形態によれば、リント排出体２５は、フィルター２６の内面に付着したリント２９を離脱させる離脱手段と、離脱したリント２９を通風路９外のリント捕獲スペース２７に排出する排出手段を兼ねるもので、１つの部品ですむので、機構が簡素化され、コンパクト化が図れるものである。
【００３３】
（実施の形態３）
図４は、本発明の第３の実施の形態における洗濯乾燥機の要部断面図である。なお、上記実施の形態と同一部分については、同一符号を付してその説明を省略する。
【００３４】
本実施の形態は、図４に示すように、リント２９を捕獲するフィルター３１の下流側を上記第２の実施の形態のフィルター２６と同じく円筒状に形成し、開口部８側に上流側が径大の円錐状の傾斜面３３を設け、その傾斜面３３に、モータ３０の軸３４に一体に取り付けられ、断面形状が楔形の第２の離脱手段としてのレバー３２を密接させたものである。
【００３５】
上記構成により、フィルター３１の開口部８側に傾斜面３３があるので、乾燥循環風の流れがスムーズとなり、その傾斜面３３に付着したリント２９は、軸３４と共に回転するレバー３２で削り取られ、下流側の円筒状の部分に付着したリント２９は、リント排出体２５で削りとられてリント捕獲スペース２７に順次送られ、乾燥性能が悪化することが無いものである。
【産業上の利用可能性】
【００３６】
以上のように、本発明にかかる洗濯乾燥機は、フィルターの自動掃除により、乾燥行程で衣類から発生するリントで目詰まりしたり、乾燥性能が劣化したりする事がないもので、衣類乾燥専用機器は勿論、各種乾燥用機器にもこの技術を適用する事ができる。
【図面の簡単な説明】
【００３７】
【図１】本発明の実施の形態１における洗濯乾燥機の要部断面図
【図２】（ａ）図１のＡ部拡大図（ｂ）図２（ａ）のＢ−Ｂ断面図
【図３】本発明の実施の形態２における洗濯乾燥機の要部断面図
【図４】本発明の実施の形態３における洗濯乾燥機の要部断面図
【図５】従来の洗濯乾燥機の断面図
【符号の説明】
【００３８】
１  槽
２  ドラム
９  通風路
１１  フィルター
１４  ファン（温風発生手段）
１６  ヒータ（温風発生手段）
２０  レバー（離脱手段）
２１、２９  リント
２２、２７  リント捕獲スペース（保留手段）
２５  リント排出体（離脱手段）
３２  レバー（第２の離脱手段）
【図１】
2006102346.tif 000003
【図２】
2006102346.tif 000004
【図３】
2006102346.tif 000005
【図４】
2006102346.tif 000006
【図５】
2006102346.tif 000007